(57)【要約】【課題】プレススルーパック包装体として、破封操作を片手で簡単に行え、破封の際に品物が破封時に散逸しにくく、服のポケットやバッグ等に入れて持ち歩いても蓋フィルムの破れや剥がれを生じず、完全な封止状態を維持でき、包装体ごと飲み込むという誤飲を確実に防止でき、製作容易なものを提供する。【解決手段】基材シート１の表面側へ膨出する複数のポケット部２の各々に品物Ｍ１〜Ｍ１１が収容され、ポケット部２が基材シート１の背面側に貼着した蓋フィルム３で封止されてＰＴＰシート１０を構成し、ＰＴＰシート１０の曲成によって外周側にポケット部２を膨出した筒体Ｔ３〜Ｔ６、Ｔ０が形成され、所要のポケット部２を外側から押し潰すことにより、蓋フィルム３を突き破って内側へ放出された品物を筒口１１から取り出すように構成されてなる。【選択図】図４
2011084295.tif 000002
【特許請求の範囲】
【請求項１】
基材シートの表面側へ膨出する複数のポケット部の各々に品物が収容され、これらポケット部が該基材シートの背面側に貼着した蓋フィルムで封止されてプレススルーパックシートを構成し、このプレススルーパックシートの曲成によって外周側に前記ポケット部を膨出した筒体が形成され、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項２】
前記プレススルーパックシートが両側縁部の止着によって筒体を形成してなる請求項１記載のプレススルーパック包装体。
【請求項３】
前記プレススルーパックシートの筒状に曲成した筒口に、環状の口枠部材が嵌装固着されてなる請求項１又は２に記載のプレススルーパック包装体。
【請求項４】
両側縁に沿う一対の溝部を備えた帯状縁部枠材を付属し、前記プレススルーパックシートが両側縁部を該帯状補強部材の両溝部に各々嵌入固着して筒体を形成してなる請求項１記載のプレススルーパック包装体。
【請求項５】
前記筒体が四角以上の多角筒をなし、その内側に対角線方向に沿って配置して両側部を筒体内面に止着した補強板を有してなる請求項１〜４の何れかに記載のプレススルーパック包装体。
【請求項６】
前記筒体が少なくとも一側面を前記ポケット部のない平坦面とした三角〜六角筒をなし、この角筒の複数個が前記平坦面同士で接合して一体化してなる請求項１〜５の何れかに記載のプレススルーパック包装体。
【請求項７】
前記平坦面が前記プレススルーパックシートとは別体の板体に構成され、該板体の両側部にプレススルーパックシートの両側部が止着されてなる請求項６記載のプレススルーパック包装体。
【請求項８】
筒体の長手方向に沿う複数の縦列もしくは周方向に沿う複数の横列に配置した前記ポケット部に、前記縦列又は横列によって異なる種類の品物が収容されてなる請求項１〜７の何れかに記載のプレススルーパック包装体。
【請求項９】
前記品物が固形薬剤又は固形食品である請求項１〜８の何れかに記載のプレススルーパック包装体。
【発明の詳細な説明】
【技術分野】
【０００１】
本発明は、シートのポケット部に種々の品物を収容したプレススルーパック（以下、ＰＴＰと略称する）包装体に関する。
【背景技術】
【０００２】
一般に、ＰＴＰ包装体は、ポリ塩化ビニル、ポリプロピレン、ポリエチレンテレフタレート等の熱可塑性樹脂からなる基材シートに一面側へ膨出する多数のポケット部を設け、各ポケット部に固形薬剤や固形の菓子類を始めとする種々の品物を収容すると共に、該基材シートの背面側にアルミ箔等からなる蓋フィルムを貼着して封止したものであり、表面側に膨出したポケット部を指先で押し潰すことにより、該ポケット部内の品物が蓋フィルムを突き破って放出されるようになっている。
【０００３】
このようなＰＴＰ包装体では、小さな品物をポケット部に収容して外部から完全に封止できる上、簡単に破封して取り出せるという利点がある。しかるに、従来汎用のＰＴＰ包装体の場合、全体がシート状であるため、破封の際、両手でシートの両端を掴んで保持し、この保持した状態で両手又は片手の親指でポケット部を押圧することから、蓋フィルムを突き破って飛び出した品物が散逸し、床や地面に落下して汚れて無駄になったり、見失って探すのに時間と労力を費やしたりすることが多く、また洋服のポケットやバッグ等に入れて持ち歩いている間に蓋フィルムの破れや剥がれを生じ易く、封止破壊で品物が変質したり、品物がポケット部から出てしまって潰れたりすることも往々にしてあった。
【０００４】
更に、薬剤や菓子類のＰＴＰ包装体は、以前には基材シートに設けた縦横の分割線で手折りして１ポケット単位に分離できたことから、分離したＰＴＰ包装体を破封せずに丸ごと飲み込んでしまい、基材シートの角で食道等の消化管を傷つけて出血したり、その傷から重篤な合併症を引き起こしたりする事故が多発していた。このため、近年の薬剤用や菓子用のＰＴＰ包装体は、サイズ的に誤飲しにくいように、横の分割線のみで２又は３ポケット単位にしか分離できない形になっている。ところが、このようにＰＴＰの分離単位が大きくなっても、特に高齢者の場合にＰＴＰ包装体ごと誤飲することがあり、また１回分ずつの飲み薬に仕分けるために分離したＰＴＰ包装体を更に鋏等で１ポケット単位に切り離し、それを迂闊に飲み込んでしまう事例も少なくない。
【０００５】
そこで、最近では、特に薬剤用のＰＴＰ包装体について、その誤飲防止を図る手段が種々提案されている。例えば、特許文献１では、ＰＴＰ包装体の切り離し線にて区割される複数ポケット単位毎に、蓋フィルムにポケット部との対面部分を通過する引き裂き用の糸状体又は帯状体を設け、この糸状体又は帯状体を引っ張ることで蓋フィルムを破断してポケット部を開封できるようにしたものが提案されている。また、特許文献２，３では、切り離し線のないＰＴＰ包装体をブランク板紙からなるケース内に保持し、該ケースの上蓋又は底蓋を開いた状態でＰＴＰ包装体のポケット部を指で押圧することにより、ケース側に設けた抜脱部又は孔から薬剤を取り出すようにしたものが提案されている。
【先行技術文献】
【特許文献】
【０００６】
【特許文献１】特開２０００−２５８５５号公報
【特許文献２】特開２００３−２３７８３６公報
【特許文献３】特開２００３−３２１０７５公報
【発明の概要】
【発明が解決しようとする課題】
【０００７】
しかしながら、上記提案に係るＰＴＰ包装体は、誤飲防止の面では改善がみられても、破封時の飛び出しによる品物（薬剤）の散逸防止には有効でない上、各々の構造に起因した難点を有している。例えば、前記の引き裂き用の糸状体又は帯状体を設けた薬剤用のＰＴＰ包装体では、その糸状体や帯状体を引っ張るという破封方法を使用者（患者）が認識する必要があるが、２又は３ポケット単位の分離状態でも包装体ごと飲み込む心配があるような使用者に対し、該破封方法を周知徹底させることは困難である上、ＰＴＰ包装体そのものが切り離し線によって２ポケット単位程度に分割できるため、確実な誤飲防止を果たせず、また持ち運び中の蓋フィルムの破れや剥がれを防止する機能はない。一方、ＰＴＰ包装体を前記ブランク板紙からなるケースの如きホルダーに納める構成では、誤飲防止は確実に行えるが、そのホルダーの付属によってＰＴＰ包装体製品としての材料コストが著しく増大することに加え、ＰＴＰ包装体を収めた該ホルダーを組み立てるのに非常に手間がかかるという難点があり、更に破封手順を使用者に認知させることも容易でない。
【０００８】
本発明は、上述の事情に鑑みて、ＰＴＰ包装体として、破封操作を片手で簡単に行えると共に、その破封の際に品物が破封時に散逸しにくく、また服のポケットやバッグ等に入れて長時間持ち歩いても蓋フィルムの破れや剥がれを生じず、完全な封止状態を維持できると共に、包装体ごと飲み込むという誤飲を確実に防止でき、加えて製作容易なものを提供することを目的としている。
【課題を解決するための手段】
【０００９】
上記目的を達成するための手段を図面の参照符号を付して示せば、請求項１の発明に係るＰＴＰ包装体は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３で封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、該筒体の所要のポケット部２を外側から押し潰すことにより、蓋フィルム３を突き破って該筒体の内側へ放出された品物を該筒体の一端開口部（筒口１１）から取り出すように構成されてなる。
【００１０】
請求項２の発明は、上記請求項１のＰＴＰ包装体において、ＰＴＰシート１０が両側縁部１０ａ，１０ｂの止着によって筒体を形成してなる構成としている。
【００１１】
請求項３の発明は、上記請求項１又は２のＰＴＰ包装体において、ＰＴＰシート１０の筒状に曲成した筒口１１に、環状の口枠部材４が嵌装固着されてなる構成としている。
【００１２】
請求項４の発明は、上記請求項１又は２のＰＴＰ包装体において、両側縁に沿う一対の溝部５ａ，５ａを備えた帯状縁部枠材５を付属し、ＰＴＰシート１０が両側縁部１０ａ，１０ａを該帯状補強部材５の両溝部５ａ，５ａに各々嵌入固着して筒体を形成してなるものとしている。
【００１３】
請求項５の発明は、上記請求項１〜３の何れかのＰＴＰ包装体において、筒体が四角以上の多角筒をなし、その内側に対角線方向に沿って配置して両側部６ａ，６ａを筒体内面に止着した補強板６を有してなる構成としている。
【００１４】
請求項６の発明は、上記請求項１〜５の何れかのＰＴＰ包装体において、筒体が少なくとも一側面をポケット部２のない平坦面１２とした三角〜六角筒をなし、この角筒の複数個が平坦面１２，１２同士で接合して一体化してなる構成としている。
【００１５】
請求項７の発明は、上記請求項６のＰＴＰ包装体において、平坦面１２がＰＴＰシート１０とは別体の板体７にて構成され、該板体７の両側部にＰＴＰシート１０の両側部１０ｂ，１０ｂが止着されてなる構成としている。
【００１６】
請求項８の発明は、上記請求項１〜７の何れかのＰＴＰ包装体において、筒体の長手方向に沿う複数の縦列もしくは周方向に沿う複数の横列に配置したポケット部２に、縦列又は横列によって異なる種類の品物が収容されてなる構成としている。
【００１７】
請求項９の発明は、上記請求項１〜８の何れかのＰＴＰ包装体において、品物が固形薬剤Ｍ１〜Ｍ６又は固形食品（固形菓子７〜Ｍ８）である構成としている。
【発明の効果】
【００１８】
次に、本発明の効果について、図面の参照符号を付して説明する。まず、請求項１の発明に係るＰＴＰ包装体では、ＰＴＰシート１０が外周側にポケット部２を膨出した筒体（三角筒体Ｔ３、四角筒体Ｔ４、五角筒体Ｔ５、六角筒体Ｔ６、円筒体Ｔ０）を構成しており、片手Ｈで該筒体を把持し、その親指Ｆ１で所要のポケット部２を外側から押し潰すことにより、該ポケット部２内に収容されていた品物（固形薬剤Ｍ１〜Ｍ５、キャンディＭ６、チョコチップＭ７、粒状糖Ｍ８、ビスＭ９、ナットＭ１０、ワッシャＭ１１）が蓋フィルム３を突き破って該筒体の内側へ放出される。従って、従来のＰＴＰ包装体のようにポケット部から飛び出した品物が周辺に飛散する懸念がない上、破封操作を片手Ｈで行えるから、該筒体の下向きにした開口部（筒口１１）から落下排出される品物を空いた方の掌で確実に受け取ることができ、従来のように床や地面に落下して汚れて無駄になったり、見失って探すのに手間取るといった問題を生じない。また、ＰＴＰシート１０の蓋フィルム３は全体が筒体の内周側に位置するから、このＰＴＰ包装体を洋服のポケットやバッグ等に入れて長時間持ち歩いても、該蓋フィルム３が服地や他物品と接触することがなく、もって該接触による蓋フィルム３の破れや剥がれを生じず、完全な封止状態を維持できる。
【００１９】
更に、このＰＴＰ包装体にあっては、ＰＴＰシート１０の全体が筒体を構成し、それを１ポケット単位や２，３ポケット単位に分離できない上、品物を取り出すには各ポケット部２を指で押し潰して破封するしかないから、特に薬剤用や食品用のＰＴＰ包装体Ｐ１〜Ｐ１４の場合に、使用者が破封せずに包装体ごと飲み込む可能性は皆無である。
【００２０】
請求項２の発明によれば、ＰＴＰシート１０の両側縁部１０ａ，１０ｂの止着によって筒体Ｔ３〜Ｔ６，Ｔ０を形成できるから、該ＰＴＰシート１０を納めるホルダーのような余分な付属部品が不要であり、該付属部品によるコスト上昇を回避できる。
【００２１】
請求項３の発明によれば、ＰＴＰシート１０の筒状に曲成した筒口１１に環状の口枠部材４が嵌装固着されるから、筒体としての保形強度が大きくなり、もって材質的に腰の弱いＰＴＰシート１０であっても破封の際に筒形がへしゃげる懸念がなく、容易に破封操作を行える。
【００２２】
請求項４の発明によれば、ＰＴＰシート１０の両側縁部１０ａ，１０ａを帯状補強部材５の両溝部５ａ，５ａに嵌入固着して筒体を形成できるから、該筒体としての保形強度が増すと共に、その組立製作も容易になる。
【００２３】
請求項５の発明によれば、筒体が四角以上の多角筒である場合に、その内側に対角線方向に沿って補強板６が配置するから、筒体として保形強度が大きくなり、それだけ容易に且つ確実に破封操作を行える。
【００２４】
請求項６の発明によれば、少なくとも一側面がポケット部２のない平坦面１２とした三角〜六角筒の筒体Ｔ３〜Ｔ６の複数個を、平坦面１２，１２同士で接合して一体化する構成であるから、各々異なる品物が収容されたＰＴＰシート１０を用いて形成した筒体Ｔ３〜Ｔ６同士の接合一体化により、一つのＰＴＰ包装体Ｐ６〜Ｐ１２で複数種の品物を収容したものを容易に提供できる。
【００２５】
請求項７の発明によれば、上記の筒体Ｔ３〜Ｔ６の複数個を接合一体化したＰＴＰ包装体において、個々の筒体の平坦面１２がＰＴＰシート１０とは別体の板体７にて構成されるから、ＰＴＰシート１０の材質に影響されずに適切な接合手段を選択できると共に、該板体７として剛性の大きいものを使用することで接合一体化したＰＴＰ包装体としての保形強度を増大できる。
【００２６】
請求項８の発明によれば、筒体の長手方向に沿う複数の縦列もしくは周方向に沿う複数の横列に配置したポケット部２に、縦列又は横列によって異なる種類の品物が収容される構成であるから、例えば一回に服用すべき複数種の薬剤や他のワンセットで使用する複数種の品物を筒体回りに揃えて配置できる。
【００２７】
請求項９の発明によれば、品物が固形薬剤Ｍ１〜Ｍ５又は固形食品（キャンディＭ６、チョコチップＭ７、粒状糖Ｍ８）である場合に、使用者が破封せずに包装体ごと飲み込むのを確実に防止できるものが提供される。
【図面の簡単な説明】
【００２８】
【図１】本発明の第１実施形態に係るＰＴＰ包装体の斜視図である。
【図２】同ＰＴＰ包装体に用いるＰＴＰシートの斜視図である。
【図３】同ＰＴＰ包装体における品物の取出操作を示す斜視図である。
【図４】同ＰＴＰ包装体の破封動作を示す横断平面図である。
【図５】本発明の第２実施形態に係るＰＴＰ包装体を示し、（ａ）は口枠部材の嵌装前の要部の斜視図、（ｂ）は同口枠部材の嵌装後の要部の斜視図である。
【図６】本発明の第３実施形態に係るＰＴＰ包装体の横断平面図である。
【図７】本発明の第４及び第５実施形態を示し、（ａ）は第４実施形態に係るＰＴＰ包装体横断平面図、（ｂ）は第５実施形態に係るＰＴＰ包装体横断平面図である。
【図８】本発明の第６実施形態に係るＰＴＰ包装体を示し、（ａ）は筒体接合前の要部の斜視図、（ｂ）は筒体接合後の横断平面図である。
【図９】本発明の第７実施形態に係るＰＴＰ包装体における筒体接合前の要部の斜視図である。
【図１０】本発明の第８〜第１２実施形態を示し、（ａ）は第８実施形態、（ｂ）は第９実施形態、（ｃ）は第１０実施形態、（ｄ）は第１１実施形態、（ｅ）は第１２実施形態のそれぞれＰＴＰ包装体の概略平面図である。
【図１１】本発明の第１３実施形態に係るＰＴＰ包装体の横断平面図である。
【図１２】本発明の第１４実施形態に係るＰＴＰ包装体の横断平面図である。
【図１３】本発明の第１５実施形態に係るＰＴＰ包装体の横断平面図である。
【図１４】本発明に係るＰＴＰ包装体製品を納めた包装箱を開放状態で示し、（ａ）は四角筒形態のＰＴＰ包装体を納めた状態の要部斜視図、（ｂ）は三角筒形態のＰＴＰ包装体を納めた状態の要部斜視図である。
【発明を実施するための形態】
【００２９】
図１で示す第１実施形態のＰＴＰ包装体Ｐ１は、図２で示すＰＴＰシート１０を平行な３本の折り目１３で折り曲げて三角筒体Ｔ３としたものである。しかして、ＰＴＰシート１０は、ポリ塩化ビニル、ポリプロピレン、ポリエチレンテレフタレート等の熱可塑性樹脂からなる矩形の透明な基材シート１に、その表面側へ円形に膨出した複数（図では９）のポケット部２が縦横に配列して形成され、各ポケット部２に丸い糖衣錠タイプの固形薬剤Ｍ１（図４参照）を一個ずつ収容した状態で、該基材シート１の背面側にアルミ箔等からなる蓋フィルム３を貼着することにより、各ポケット部２が密封されている。
【００３０】
しかして、ＰＴＰシート１０の片側の側縁部１０ｂは、全長にわたって折り目１３で区割された帯状の止着片となり、その表面に剥離紙８１付きの粘着層８が形成されており、三角筒体Ｔ３の組み立てに際し、折り目１３で折り曲げ、剥離紙６１を引き剥がして露呈させた粘着層６を反対側の非折曲の側縁部１０ａの背面側に接着固定するようになっている。なお、各折り目１３は、折り曲げ容易であっても断裂しにくいように、線状の薄肉部やミシン目によって構成されている。
【００３１】
この三角筒体Ｔ３としたＰＴＰ包装体Ｐ１では、元来より基材シート１に切り離し線がないので１，２ポケットの小さい単位に手で分離できない上、その立体構造からして鋏等で小さい単位に切り離すことも想定できない。従って、患者が薬剤Ｍ１を取り出して服用するには、外側からポケット部２を押し潰して破封するしかなく、破封せずに包装体ごと飲み込む可能性は皆無である。そして、この破封操作は、図３に示すように片手ＨでＰＴＰ包装体Ｐ１を掴んだ状態で、その親指Ｆ１でポケット部２を押圧することによって簡単に行える上、破封によって蓋フィルム３を突き破った薬剤Ｍ１が図４の如く三角筒体Ｔ３の内側に放出されるから、該薬剤Ｍ１が不用意に飛び出して周辺に散逸することはなく、しかも三角筒体Ｔ３内から落下させた薬剤Ｍ１を空いた方の掌で確実に受け取ることができる。よって、このＰＴＰ包装体Ｐ１によれば、薬剤Ｍ１が床等に落下して汚れて無駄になったり、行方不明になって探すのに時間と労力を費やしたりするのを回避できる。また、ＰＴＰシート１０の蓋フィルム３は全体が三角筒体Ｔ３の内周側に位置するから、このＰＴＰ包装体Ｐ１を洋服のポケットやバッグ等に入れて長時間持ち歩いても、該蓋フィルム３が服地や他物品と接触せず、もって該接触による蓋フィルム３の破れや剥がれを生じず、完全な封止状態を維持できる。
【００３２】
また、このＰＴＰ包装体Ｐ１では、ＰＴＰシート１０の両側縁部１０ａ，１０ｂの止着によって三角筒体Ｔ３〜Ｔ６，Ｔ０を形成しているから、該ＰＴＰシート１０を納めるホルダーのような余分な付属部品が不要であり、該付属部品によるコスト上昇を回避できるという利点がある。なお、ＰＴＰシート１０の両側縁部１０ａ，１０ｂの止着手段としては、例示した粘着層８による接着固定の他、ヒートシール、液状接着剤による接着、一側縁側のスリットと他側縁側の係止片との係合、両側縁に形成した折り返し部同士の係合、ホッチキス止め、これらの組合せ等、他の種々の止着方式を採用できる。
【００３３】
次に、図５で示す第２実施形態のＰＴＰ包装体Ｐ２では、前記第１実施形態と同様にＰＴＰシート１０の折り曲げと側縁部１０ａ，１０ｂの止着によって三角筒体Ｔ３を形成しているが、その両端の各筒口１１に三角環状の口枠部材４が嵌装固着されている。この口枠部材４は、硬質の熱可塑性樹脂チューブから環形に切り取って三角形に成形すると共に、三角形の各辺毎に設けたフィン部４ａを外側へ折り返したもので、三角筒体Ｔ３の筒口１１に対して、環形部分が内側、フィン部４ａが外側になるように嵌装し、接着又はヒートシールによって固着するようになっている。
【００３４】
この第２実施形態のＰＴＰ包装体Ｐ２の場合、前記第１実施形態のＰＴＰ包装体Ｐ１と同様の作用効果に加え、三角筒体Ｔ３の両端の筒口１１に固着した口枠部材４によって筒体としての保形強度が大きくなるから、ＰＴＰシート１０が材質的に腰の弱いものあっても、破封の際に筒形がへしゃげる懸念がなく、もって容易に破封操作を行えるという利点がある。
【００３５】
更に、図６で示す第３実施形態のＰＴＰ包装体Ｐ３では、ＰＴＰシート１０を２カ所で折り曲げて三角筒状にしているが、その非折曲の両側縁部１０ａ，１０ａを帯状補強部材５を介して連結一体化して三角筒体Ｔ３を形成している。しかして、帯状補強部材５は、三角筒体Ｔ３の全長にわたる長さを有する硬質ないし半硬質合成樹脂の成形物からなり、略断面Ｖ字形の両側縁に各々側端面に開く溝部５ａ，５ａを有しており、その各溝部５ａにＰＴＰシート１０の側縁部１０ａを嵌入し、接着又はヒートシールによって固着するようになっている。この第３実施形態のＰＴＰ包装体Ｐ３でも、前記第１実施形態のＰＴＰ包装体Ｐ１と同様の作用効果に加え、帯状補強部材５によって該筒体としての保形強度が増すと共に、その組立製作も容易になるという利点がある。
【００３６】
前記第１〜第３実施形態のＰＴＰ包装体Ｐ１〜Ｐ３のように薬剤用に供するものの場合、製薬メーカー等の製造者側で最終的な筒体に形成して製品として出荷する他、該製造者側から医療機関の調剤部や薬局等に対して図２の如く嵩張らないＰＴＰシート１０として納入し、処方箋に則って患者に手渡す前に筒状形態に組み立てるようにしてもよい。そして、ＰＴＰ包装体に納める薬剤は、第１〜第３実施形態のような一種に限らず、筒体の長手方向に沿う複数の縦列もしくは周方向に沿う複数の横列に配置したポケット部２に、縦列又は横列によって異なる種類の薬剤を収容する構成としてもよい。また、筒体としても、第１及び第２実施形態のような三角筒体Ｔ３に限らず、四角以上の多角筒体としてもよい。
【００３７】
図７（ａ）に示す第４実施形態のＰＴＰ包装体Ｐ４は、三角筒体Ｔ３のポケット部２に、各側面毎に異なる３種類の薬剤、例えば糖衣錠形態の薬剤Ｍ１、タブレット形態の薬剤Ｍ２、顆粒入りカプセル形態の薬剤Ｍ３が収容されている。また、図７（ｂ）に示す第５実施形態のＰＴＰ包装体Ｐ５は、四角筒体Ｔ４のポケット部２に、各側面毎に異なる４種類の薬剤、例えば上記三種類の薬剤Ｍ１〜Ｍ３に加えて、小さい糖衣錠形態の薬剤Ｍ４が収容されている。
【００３８】
これらＰＴＰ包装体Ｐ４，Ｐ５では、例えば各側面つまり縦列方向のポケット部２の数を３つとして、患者が一回に服用すべき複数種の薬剤Ｍ１〜Ｍ３あるいはＭ１〜Ｍ４を上中下の各段に分配収容し、朝には上段配置分、昼には中段配置分、晩には下段配置分の各々複数種を服用するように、都合一日分の薬剤を納めた形態とすれば非常に便利である。無論、縦列方向のポケット部２の数を６つとして二日分の薬剤を納めるようにしてもよいし、一日２回服用する薬剤では縦列方向のポケット部２を偶数にして１日〜数日分の薬剤を納めるようにしてもよい。また、例示とは逆に、各側面つまり各縦列方向のポケット部２ごとに複数種の薬剤を収容し、一側面つまり一縦列の薬剤を服用一回分とする構成も可能である。
【００３９】
なお、筒体が四角以上の多角筒体である場合、例えば図７（ｂ）の仮想線で示すように、その多角筒体の内側に対角線方向に沿う補強板６を配置し、その両側部６ａ，６ａを筒体内面に止着するようにすれば、それだけ筒体として保形強度が大きくなるため、容易に且つ確実に破封操作を行えるという利点がある。また、筒体が５角形以上の多角形である場合、複数枚の補強板６を用いてもよい。
【００４０】
更に、患者が一回に服用する複数種の薬剤は、同様の症例でも症状の程度や個人差等によって組合せが異なる場合があるが、本発明のＰＴＰ包装体ではその組合せの変化にも容易に対応できる。例えば、図８（ａ）（ｂ）に示す第６実施形態のＰＴＰ包装体Ｐ６は、各々ＰＴＰシート１０より折曲形成された２本の三角筒体Ｔ３Ａ，Ｔ３Ｂが合わさって四角筒体Ｔ４を構成しており、一方の三角筒体Ｔ３Ａの二側面のポケット部２にそれぞれ糖衣錠形態の薬剤Ｍ１とタブレット形態の薬剤Ｍ２とが収容されると共に、他方の三角筒体Ｔ３Ｂの２側面のポケット部２にそれぞれ顆粒入りカプセル形態の薬剤Ｍ３と液剤入りカプセル形態の薬剤Ｍ５とが収容され、もって４種類の薬剤の組合せになっている。この場合、両三角筒体Ｔ３Ａ，Ｔ３Ｂの残る一側面はポケット部２のない平坦面１２となっており、一方の三角筒体Ｔ３Ａの平坦面１２には剥離紙８１付きの粘着層８が形成されており、その剥離紙８１を剥がした粘着層８を他方の三角筒体Ｔ３Ｂの平坦面１２に接着することにより、両三角筒体Ｔ３Ａ，Ｔ３Ｂを接合一体化している。
【００４１】
また、図９に示す第７実施形態のＰＴＰ包装体Ｐ７では、前記第６実施形態と同様に合一して４角筒体Ｔ４を構成する２本の三角筒体Ｔ３Ｃ，Ｔ３Ｄは、それぞれポケット部２を有する二側面がＰＴＰシート１０からなると共に、ポケット部２のない一側面の平坦面１２が該ＰＴＰシート１０の折曲した側縁部１０ｂ，１０ｂに止着した別体の硬質合成樹脂からなる板体７にて形成されており、前記第６実施形態と同様に一方の平坦面１２に設けた粘着層８を介して両三角筒体Ｔ３Ｃ，Ｔ３Ｄが接合一体化されている。そして、両三角筒体Ｔ３Ｃ，Ｔ３Ｄのポケット部２には互いに異なる種類の薬剤（図示省略）が収容されている。
【００４２】
これら第６及び第７実施形態のように、収容した薬剤種が異なる２本の筒体を組み合わせて一体化する構成によれば、該筒体として薬剤種の異なるものを種々用意しておくことにより、患者の症状の程度や個人差等に合わせた様々な薬剤の組合せが可能となる。なお、筒体同士の接合手段としては、例示した粘着層８による接合以外に、液状接着剤による接着やヒートシール、簡易にはホッチキス止めや接着テープによる巻き止め等、種々の方法を採用できる。
【００４３】
更に本発明では、角筒体の二側面をポケット部のない平坦面として、その平坦面同士を接合して一体化することで、より多数の薬剤の組合せに対応させることも可能である。例えば、図１０（ａ）で示す第８実施形態のＰＴＰ包装体Ｐ８は、一側面のみにポケット部２を有する三角筒体Ｔ３の４本を接合一体化して四角筒体Ｔ４にしており、都合４種の薬剤の組合せに対応している。また図１０（ｂ）で示す第９実施形態のＰＴＰ包装体Ｐ９は、一側面のみにポケット部２を有する三角筒体Ｔ３の６本を接合一体化し、６種の薬剤の組合せに対応した六角筒体Ｔ６としている。更に図１０（ｃ）で示す第１０実施形態のＰＴＰ包装体Ｐ１０は、二側面にポケット部２を有する四角筒体Ｔ４の４本を接合一体化し、８種の薬剤の組合せに対応した四角筒体Ｔ４としている。その他、特殊な形態として、図１０（ｄ）で示す第１１実施形態のＰＴＰ包装体Ｐ１１は四側面にポケット部２を有する六角筒体Ｔ６の３本が接合一体化し、図１０（ｅ）で示す第１２実施形態のＰＴＰ包装体Ｐ１２は三側面にポケット部２を有する五角筒体Ｔ５の３本が接合一体化し、前者は１２種、後者は９種の薬剤の組合せに対応するものとなっている。
【００４４】
なお、上述した第１〜第１２実施形態のＰＴＰ包装体Ｐ１〜Ｐ１２はいずれも三角〜６角の角筒体Ｔ３〜Ｔ６及びその複数本の組合せになっているが、本発明のＰＴＰ包装体は、例えば図１１に示す第１３実施形態のＰＴＰ包装体Ｐ１３のような円筒体Ｔ０や楕円筒体（図示省略）としてもよい。なお、例示した第１３実施形態のＰＴＰ包装体Ｐ１３ではＰＴＰシート１０の内外に折り返した両側縁部１０ｃ，１０ｃを相互に係合して円筒体Ｔ０としているが、この円筒体Ｔ０にするためのＰＴＰシート１０の両側縁部の止着手段として既述の角筒体と同様に様々な方法を採用できる。
【００４５】
本発明のＰＴＰ包装体に収容する品物としては、第１〜第１３実施形態で例示したように固形薬剤に限らず、トローチや喉飴、各種サプリメントの如き薬品に準じる食品類、チョコチップ、チョコボール、キャラメル、キャンディ、ガム、クッキー、ビスケット、ナッツの如き粒状の菓子類、固形化したスープの素やカレールー、氷砂糖，グラニュー糖、固形化した調味料の如き食品類、固形入浴剤、固形洗剤、パイプ洗浄剤の如き化学薬剤等も包含する。更に、該ＰＴＰ包装体には、ビス、釘、ナット、ワッシャ、ゴムパッキン、手芸用ビーズ等の工芸用の様々な小物類等も収容でき、特に小粒の品物では一つのポケット部２に複数個を収容してもよいし、必要とあらば固形物のみならず顆粒品、粉末品、液状品等でも収容可能である。
【００４６】
例えば、図１２に示す第１４実施形態のＰＴＰ包装体Ｐ１２は、キャンディＭ６とチョコチップＭ７と糖小粒Ｍ８が三角筒体Ｔ３の各側面に分けて収容されており、３種の菓子類の組合せを味わえるようになっている。また、図１３に示す第１５実施形態のＰＴＰ包装体Ｐ１５は、ビスＭ９とナットＭ１０及びワッシャＭ１１のワンセットが、三角筒体Ｔ３の周方向に並ぶ３つのポケット部２に分けて収容されているから、ビス止め作業を行う際に一カ所分の部品を逸散させることなく一括して取り出せて便利である。
【００４７】
更に、製造者側で予め筒体に組み立てて市販するＰＴＰ包装体では、例えば図１４（ａ）（ｂ）で例示するように、四角筒体Ｔ４や三角筒体Ｔ３としたＰＴＰ包装体Ｐ１６，Ｐ１７の複数本を包装箱Ｂに装填して製品化することが推奨される。この場合、三角筒体Ｔ３については、矩形空間に複数本を納め易いように、正三角形よりも図示の如く直角二等辺三角形の筒形とするのがよい。また、包装箱Ｂに装填するＰＴＰ包装体１６，Ｐ１７については、基材シート１のポケット部２を千鳥状配置にすれば、包装箱Ｂへの装填時に相互のポケット部２による膨出部分がずれて噛み合うため、空間効率を高まって装填本数を増やすことができる。
【符号の説明】
【００４８】
１              基材シート
２              ポケット部
３              蓋フィルム
４              口枠部材
５              帯状縁部枠材
５ａ            溝部
６              補強板
６ａ            側部
７              板体
１０            ＰＴＰシート
１０ａ〜１０ｃ  側縁部
１１            筒口
１２            平坦面
Ｍ１〜Ｍ５      固形薬剤（品物）
Ｍ６            粒状ガム（品物）
Ｍ７            チョコチップ（品物）
Ｍ８            粒状糖（品物）
Ｍ９            ビス（品物）
Ｍ１０          ナット（品物）
Ｍ１１          ワッシャ（品物）
Ｐ１〜Ｐ１７    ＰＴＰ包装体
Ｔ３            三角筒体
Ｔ４            四角筒体
Ｔ５            五角筒体
Ｔ６            六角筒体
Ｔ０            円筒体
【図１】
2011084295.tif 000003
【図２】
2011084295.tif 000004
【図３】
2011084295.tif 000005
【図４】
2011084295.tif 000006
【図５】
2011084295.tif 000007
【図６】
2011084295.tif 000008
【図７】
2011084295.tif 000009
【図８】
2011084295.tif 000010
【図９】
2011084295.tif 000011
【図１０】
2011084295.tif 000012
【図１１】
2011084295.tif 000013
【図１２】
2011084295.tif 000014
【図１３】
2011084295.tif 000015
【図１４】
2011084295.tif 000016
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
基材シートの表面側へ膨出する複数のポケット部の各々に品物が収容され、これらポケット部が該基材シートの背面側に貼着した蓋フィルムであって、ポケット部を外側から押し潰すことにより破封可能な蓋フィルムによって封止されてプレススルーパックシートを構成し、このプレススルーパックシートの曲成によって外周側に前記ポケット部を膨出した筒体が形成され、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項２】
前記プレススルーパックシートが両側縁部の止着によって筒体を形成してなる請求項１記載のプレススルーパック包装体。
【請求項３】
前記プレススルーパックシートの筒状に曲成した筒口に、環状の口枠部材が嵌装固着されてなる請求項１又は２に記載のプレススルーパック包装体。
【請求項４】
両側縁に沿う一対の溝部を備えた帯状縁部枠材を付属し、前記プレススルーパックシートが両側縁部を該帯状補強部材の両溝部に各々嵌入固着して筒体を形成してなる請求項１記載のプレススルーパック包装体。
【請求項５】
前記筒体が四角以上の多角筒をなし、その内側に対角線方向に沿って配置して両側部を筒体内面に止着した補強板を有してなる請求項１〜４の何れかに記載のプレススルーパック包装体。
【請求項６】
前記筒体が少なくとも一側面を前記ポケット部のない平坦面とした三角〜六角筒をなし、この角筒の複数個が前記平坦面同士で接合して一体化してなる請求項１〜５の何れかに記載のプレススルーパック包装体。
【請求項７】
前記平坦面が前記プレススルーパックシートとは別体の板体に構成され、該板体の両側部にプレススルーパックシートの両側部が止着されてなる請求項６記載のプレススルーパック包装体。
【請求項８】
筒体の長手方向に沿う複数の縦列もしくは周方向に沿う複数の横列に配置した前記ポケット部に、前記縦列又は横列によって異なる種類の品物が収容されてなる請求項１〜７の何れかに記載のプレススルーパック包装体。
【請求項９】
前記品物が固形薬剤又は固形食品である請求項１〜８の何れかに記載のプレススルーパック包装体。
【手続補正２】
【補正対象書類名】明細書
【補正対象項目名】０００９
【補正方法】変更
【補正の内容】
【０００９】
上記目的を達成するための手段を図面の参照符号を付して示せば、請求項１の発明に係るＰＴＰ包装体は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３であって、ポケット部２を外側から押し潰すことにより破封可能な蓋フィルム３によって封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、該筒体の所要のポケット部２を外側から押し潰すことにより、蓋フィルム３を突き破って該筒体の内側へ放出された品物を該筒体の一端開口部（筒口１１）から取り出すように構成されてなる。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
基材シートの表面側へ膨出する複数のポケット部の各々に品物が収容され、これらポケット部が該基材シートの背面側に貼着した蓋フィルムであって、ポケット部を外側から押し潰すことにより破封可能な蓋フィルムによって封止されてプレススルーパックシートを構成し、このプレススルーパックシートの曲成によって外周側に前記ポケット部を膨出した筒体が形成され、
前記プレススルーパックシートの筒状に曲成した筒口に、環状の口枠部材が嵌装固着され、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項２】
基材シートの表面側へ膨出する複数のポケット部の各々に品物が収容され、これらポケット部が該基材シートの背面側に貼着した蓋フィルムであって、ポケット部を外側から押し潰すことにより破封可能な蓋フィルムによって封止されてプレススルーパックシートを構成し、このプレススルーパックシートの曲成によって外周側に前記ポケット部を膨出した筒体が形成され、
前記筒体は、両側縁に沿う一対の溝部を備えた帯状縁部枠材を付属し、前記プレススルーパックシートが両側縁部を該帯状補強部材の両溝部に各々嵌入固着して形成され、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項３】
基材シートの表面側へ膨出する複数のポケット部の各々に品物が収容され、これらポケット部が該基材シートの背面側に貼着した蓋フィルムであって、ポケット部を外側から押し潰すことにより破封可能な蓋フィルムによって封止されてプレススルーパックシートを構成し、このプレススルーパックシートの曲成によって外周側に前記ポケット部を膨出した筒体が形成され、
前記筒体が四角以上の多角筒をなし、その内側に対角線方向に沿って配置して両側部を筒体内面に止着した補強板を有してなり、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項４】
基材シートの表面側へ膨出する複数のポケット部の各々に品物が収容され、これらポケット部が該基材シートの背面側に貼着した蓋フィルムであって、ポケット部を外側から押し潰すことにより破封可能な蓋フィルムによって封止されてプレススルーパックシートを構成し、このプレススルーパックシートの曲成によって外周側に前記ポケット部を膨出した筒体が形成され、
前記筒体が少なくとも一側面を前記ポケット部のない平坦面とした三角〜六角筒をなし、この角筒の複数個が前記平坦面同士で接合して一体化してなり、
前記筒体の所要の前記ポケット部を外側から押し潰すことにより、蓋フィルムを突き破って該筒体の内側へ放出された品物を該筒体の一端開口部から取り出すように構成されてなるプレススルーパック包装体。
【請求項５】
前記平坦面が前記プレススルーパックシートとは別体の板体に構成され、該板体の両側部にプレススルーパックシートの両側部が止着されてなる請求項４に記載のプレススルーパック包装体。
【請求項６】
筒体の長手方向に沿う複数の縦列もしくは周方向に沿う複数の横列に配置した前記ポケット部に、前記縦列又は横列によって異なる種類の品物が収容されてなる請求項１〜５の何れかに記載のプレススルーパック包装体。
【請求項７】
前記品物が固形薬剤又は固形食品である請求項１〜６の何れかに記載のプレススルーパック包装体。
【手続補正２】
【補正対象書類名】明細書
【補正対象項目名】全文
【補正方法】変更
【補正の内容】
【発明の詳細な説明】
【技術分野】
【０００１】
本発明は、シートのポケット部に種々の品物を収容したプレススルーパック（以下、ＰＴＰと略称する）包装体に関する。
【背景技術】
【０００２】
一般に、ＰＴＰ包装体は、ポリ塩化ビニル、ポリプロピレン、ポリエチレンテレフタレート等の熱可塑性樹脂からなる基材シートに一面側へ膨出する多数のポケット部を設け、各ポケット部に固形薬剤や固形の菓子類を始めとする種々の品物を収容すると共に、該基材シートの背面側にアルミ箔等からなる蓋フィルムを貼着して封止したものであり、表面側に膨出したポケット部を指先で押し潰すことにより、該ポケット部内の品物が蓋フィルムを突き破って放出されるようになっている。
【０００３】
このようなＰＴＰ包装体では、小さな品物をポケット部に収容して外部から完全に封止できる上、簡単に破封して取り出せるという利点がある。しかるに、従来汎用のＰＴＰ包装体の場合、全体がシート状であるため、破封の際、両手でシートの両端を掴んで保持し、この保持した状態で両手又は片手の親指でポケット部を押圧することから、蓋フィルムを突き破って飛び出した品物が散逸し、床や地面に落下して汚れて無駄になったり、見失って探すのに時間と労力を費やしたりすることが多く、また洋服のポケットやバッグ等に入れて持ち歩いている間に蓋フィルムの破れや剥がれを生じ易く、封止破壊で品物が変質したり、品物がポケット部から出てしまって潰れたりすることも往々にしてあった。
【０００４】
更に、薬剤や菓子類のＰＴＰ包装体は、以前には基材シートに設けた縦横の分割線で手折りして１ポケット単位に分離できたことから、分離したＰＴＰ包装体を破封せずに丸ごと飲み込んでしまい、基材シートの角で食道等の消化管を傷つけて出血したり、その傷から重篤な合併症を引き起こしたりする事故が多発していた。このため、近年の薬剤用や菓子用のＰＴＰ包装体は、サイズ的に誤飲しにくいように、横の分割線のみで２又は３ポケット単位にしか分離できない形になっている。ところが、このようにＰＴＰの分離単位が大きくなっても、特に高齢者の場合にＰＴＰ包装体ごと誤飲することがあり、また１回分ずつの飲み薬に仕分けるために分離したＰＴＰ包装体を更に鋏等で１ポケット単位に切り離し、それを迂闊に飲み込んでしまう事例も少なくない。
【０００５】
そこで、最近では、特に薬剤用のＰＴＰ包装体について、その誤飲防止を図る手段が種々提案されている。例えば、特許文献１では、ＰＴＰ包装体の切り離し線にて区割される複数ポケット単位毎に、蓋フィルムにポケット部との対面部分を通過する引き裂き用の糸状体又は帯状体を設け、この糸状体又は帯状体を引っ張ることで蓋フィルムを破断してポケット部を開封できるようにしたものが提案されている。また、特許文献２，３では、切り離し線のないＰＴＰ包装体をブランク板紙からなるケース内に保持し、該ケースの上蓋又は底蓋を開いた状態でＰＴＰ包装体のポケット部を指で押圧することにより、ケース側に設けた抜脱部又は孔から薬剤を取り出すようにしたものが提案されている。
【先行技術文献】
【特許文献】
【０００６】
【特許文献１】特開２０００−２５８５５号公報
【特許文献２】特開２００３−２３７８３６公報
【特許文献３】特開２００３−３２１０７５公報
【発明の概要】
【発明が解決しようとする課題】
【０００７】
しかしながら、上記提案に係るＰＴＰ包装体は、誤飲防止の面では改善がみられても、破封時の飛び出しによる品物（薬剤）の散逸防止には有効でない上、各々の構造に起因した難点を有している。例えば、前記の引き裂き用の糸状体又は帯状体を設けた薬剤用のＰＴＰ包装体では、その糸状体や帯状体を引っ張るという破封方法を使用者（患者）が認識する必要があるが、２又は３ポケット単位の分離状態でも包装体ごと飲み込む心配があるような使用者に対し、該破封方法を周知徹底させることは困難である上、ＰＴＰ包装体そのものが切り離し線によって２ポケット単位程度に分割できるため、確実な誤飲防止を果たせず、また持ち運び中の蓋フィルムの破れや剥がれを防止する機能はない。一方、ＰＴＰ包装体を前記ブランク板紙からなるケースの如きホルダーに納める構成では、誤飲防止は確実に行えるが、そのホルダーの付属によってＰＴＰ包装体製品としての材料コストが著しく増大することに加え、ＰＴＰ包装体を収めた該ホルダーを組み立てるのに非常に手間がかかるという難点があり、更に破封手順を使用者に認知させることも容易でない。
【０００８】
本発明は、上述の事情に鑑みて、ＰＴＰ包装体として、破封操作を片手で簡単に行えると共に、その破封の際に品物が破封時に散逸しにくく、また服のポケットやバッグ等に入れて長時間持ち歩いても蓋フィルムの破れや剥がれを生じず、完全な封止状態を維持できると共に、包装体ごと飲み込むという誤飲を確実に防止でき、加えて製作容易なものを提供することを目的としている。
【課題を解決するための手段】
【０００９】
上記目的を達成するための手段を図面の参照符号を付して示せば、請求項１の発明に係るＰＴＰ包装体は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３であって、ポケット部２を外側から押し潰すことにより破封可能な蓋フィルム３によって封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、ＰＴＰシート１０の筒状に曲成した筒口１１に、環状の口枠部材４が嵌装固着され、該筒体の所要のポケット部２を外側から押し潰すことにより、蓋フィルム３を突き破って該筒体の内側へ放出された品物を該筒体の一端開口部（筒口１１）から取り出すように構成されてなる。
【００１０】
【００１１】
【００１２】
請求項２の発明は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３であって、ポケット部２を外側から押し潰すことにより破封可能な蓋フィルム３によって封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、該筒体は、両側縁に沿う一対の溝部５ａ，５ａを備えた帯状縁部枠材５を付属し、ＰＴＰシート１０が両側縁部１０ａ，１０ａを該帯状補強部材５の両溝部５ａ，５ａに各々嵌入固着して形成されてなり、該筒体の所要のポケット部２を外側から押し潰すことにより、蓋フィルム３を突き破って該筒体の内側へ放出された品物を該筒体の一端開口部（筒口１１）から取り出すように構成されてなる。
【００１３】
請求項３の発明は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３であって、ポケット部２を外側から押し潰すことにより破封可能な蓋フィルム３によって封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、該筒体が四角以上の多角筒をなし、その内側に対角線方向に沿って配置して両側部６ａ，６ａを筒体内面に止着した補強板６を有してなり、該筒体の所要のポケット部２を外側から押し潰すことにより、蓋フィルム３を突き破って該筒体の内側へ放出された品物を該筒体の一端開口部（筒口１１）から取り出すように構成されてなる。
【００１４】
請求項４の発明は、基材シート１の表面側へ膨出する複数のポケット部２の各々に品物（固形薬剤Ｍ１〜Ｍ５、キャンディＭ６、チョコチップＭ７、粒状糖Ｍ８、ビスＭ９、ナットＭ１０、ワッシャＭ１１）が収容され、これらポケット部２が該基材シート１の背面側に貼着した蓋フィルム３であって、ポケット部２を外側から押し潰すことにより破封可能な蓋フィルム３によって封止されてＰＴＰシート１０を構成し、このＰＴＰシート１０の曲成によって外周側にポケット部２を膨出した筒体（三角筒体Ｔ３、四角筒体Ｔ４、五角筒体Ｔ５、六角筒体Ｔ６、円筒体Ｔ０）が形成され、該筒体が少なくとも一側面をポケット部２のない平坦面１２とした三角〜六角筒をなし、この角筒の複数個が平坦面１２，１２同士で接合して一体化してなり、該筒体の所要のポケット部２を外側から押し潰すことにより、蓋フィルム３を突き破って該筒体の内側へ放出された品物を該筒体の一端開口部（筒口１１）から取り出すように構成されてなる。
【００１５】
請求項５の発明は、上記請求項４のＰＴＰ包装体において、平坦面１２がＰＴＰシート１０とは別体の板体７にて構成され、該板体７の両側部にＰＴＰシート１０の両側部１０ｂ，１０ｂが止着されてなる構成としている。
【００１６】
請求項６の発明は、上記請求項１〜５の何れかのＰＴＰ包装体において、筒体の長手方向に沿う複数の縦列もしくは周方向に沿う複数の横列に配置したポケット部２に、縦列又は横列によって異なる種類の品物が収容されてなる構成としている。
【００１７】
請求項７の発明は、上記請求項１〜６の何れかのＰＴＰ包装体において、品物が固形薬剤Ｍ１〜Ｍ６又は固形食品（固形菓子７〜Ｍ８）である構成としている。
【発明の効果】
【００１８】
次に、本発明の効果について、図面の参照符号を付して説明する。まず、請求項１の発明に係るＰＴＰ包装体では、ＰＴＰシート１０が外周側にポケット部２を膨出した筒体（三角筒体Ｔ３、四角筒体Ｔ４、五角筒体Ｔ５、六角筒体Ｔ６、円筒体Ｔ０）を構成しており、片手Ｈで該筒体を把持し、その親指Ｆ１で所要のポケット部２を外側から押し潰すことにより、該ポケット部２内に収容されていた品物（固形薬剤Ｍ１〜Ｍ５、キャンディＭ６、チョコチップＭ７、粒状糖Ｍ８、ビスＭ９、ナットＭ１０、ワッシャＭ１１）が蓋フィルム３を突き破って該筒体の内側へ放出される。従って、従来のＰＴＰ包装体のようにポケット部から飛び出した品物が周辺に飛散する懸念がない上、破封操作を片手Ｈで行えるから、該筒体の下向きにした開口部（筒口１１）から落下排出される品物を空いた方の掌で確実に受け取ることができ、従来のように床や地面に落下して汚れて無駄になったり、見失って探すのに手間取るといった問題を生じない。また、ＰＴＰシート１０の蓋フィルム３は全体が筒体の内周側に位置するから、このＰＴＰ包装体を洋服のポケットやバッグ等に入れて長時間持ち歩いても、該蓋フィルム３が服地や他物品と接触することがなく、もって該接触による蓋フィルム３の破れや剥がれを生じず、完全な封止状態を維持できる。
【００１９】
更に、このＰＴＰ包装体にあっては、ＰＴＰシート１０の全体が筒体を構成し、それを１ポケット単位や２，３ポケット単位に分離できない上、品物を取り出すには各ポケット部２を指で押し潰して破封するしかないから、特に薬剤用や食品用のＰＴＰ包装体Ｐ１〜Ｐ１４の場合に、使用者が破封せずに包装体ごと飲み込む可能性は皆無である。
【００２０】
又、本発明によれば、ＰＴＰシート１０の両側縁部１０ａ，１０ｂの止着によって筒体Ｔ３〜Ｔ６，Ｔ０を形成できるから、該ＰＴＰシート１０を納めるホルダーのような余分な付属部品が不要であり、該付属部品によるコスト上昇を回避できる。
【００２１】
更に又、本発明によれば、ＰＴＰシート１０の筒状に曲成した筒口１１に環状の口枠部材４が嵌装固着されるから、筒体としての保形強度が大きくなり、もって材質的に腰の弱いＰＴＰシート１０であっても破封の際に筒形がへしゃげる懸念がなく、容易に破封操作を行える。
【００２２】
請求項２の発明によれば、特にＰＴＰシート１０の両側縁部１０ａ，１０ａを帯状補強部材５の両溝部５ａ，５ａに嵌入固着して筒体を形成できるから、該筒体としての保形強度が増すと共に、その組立製作も容易になる。
【００２３】
請求項３の発明によれば、特に筒体が四角以上の多角筒である場合に、その内側に対角線方向に沿って補強板６が配置するから、筒体として保形強度が大きくなり、それだけ容易に且つ確実に破封操作を行える。
【００２４】
請求項４の発明によれば、特に少なくとも一側面がポケット部２のない平坦面１２とした三角〜六角筒の筒体Ｔ３〜Ｔ６の複数個を、平坦面１２，１２同士で接合して一体化する構成であるから、各々異なる品物が収容されたＰＴＰシート１０を用いて形成した筒体Ｔ３〜Ｔ６同士の接合一体化により、一つのＰＴＰ包装体Ｐ６〜Ｐ１２で複数種の品物を収容したものを容易に提供できる。
【００２５】
請求項５の発明によれば、特に上記の筒体Ｔ３〜Ｔ６の複数個を接合一体化したＰＴＰ包装体において、個々の筒体の平坦面１２がＰＴＰシート１０とは別体の板体７にて構成されるから、ＰＴＰシート１０の材質に影響されずに適切な接合手段を選択できると共に、該板体７として剛性の大きいものを使用することで接合一体化したＰＴＰ包装体としての保形強度を増大できる。
【００２６】
請求項６の発明によれば、筒体の長手方向に沿う複数の縦列もしくは周方向に沿う複数の横列に配置したポケット部２に、縦列又は横列によって異なる種類の品物が収容される構成であるから、例えば一回に服用すべき複数種の薬剤や他のワンセットで使用する複数種の品物を筒体回りに揃えて配置できる。
【００２７】
請求項７の発明によれば、品物が固形薬剤Ｍ１〜Ｍ５又は固形食品（キャンディＭ６、チョコチップＭ７、粒状糖Ｍ８）である場合に、使用者が破封せずに包装体ごと飲み込むのを確実に防止できるものが提供される。
【図面の簡単な説明】
【００２８】
【図１】本発明の第１〜第１１実施形態に係るＰＴＰ包装体要部の斜視図である。
【図２】同ＰＴＰ包装体要部に用いるＰＴＰシートの斜視図である。
【図３】同ＰＴＰ包装体要部における品物の取出操作を示す斜視図である。
【図４】同ＰＴＰ包装体要部の破封動作を示す横断平面図である。
【図５】本発明の第１実施形態に係るＰＴＰ包装体を示し、（ａ）は口枠部材の嵌装前の要部の斜視図、（ｂ）は同口枠部材の嵌装後の要部の斜視図である。
【図６】本発明の第２実施形態に係るＰＴＰ包装体の横断平面図である。
【図７】本発明の第３及び第４実施形態を示し、（ａ）は第３実施形態に係るＰＴＰ包装体横断平面図、（ｂ）は第４実施形態に係るＰＴＰ包装体横断平面図である。
【図８】本発明の第５実施形態に係るＰＴＰ包装体を示し、（ａ）は筒体接合前の要部の斜視図、（ｂ）は筒体接合後の横断平面図である。
【図９】本発明の第６実施形態に係るＰＴＰ包装体における筒体接合前の要部の斜視図である。
【図１０】本発明の第７〜第１１実施形態を示し、（ａ）は第７実施形態、（ｂ）は第８実施形態、（ｃ）は第９実施形態、（ｄ）は第１０実施形態、（ｅ）は第１１実施形態のそれぞれＰＴＰ包装体の概略平面図である。
【図１１】本発明のＰＴＰ包装体要部の他の実施態様を示す横断平面図である。
【図１２】本発明のＰＴＰ包装体要部の使用例を示す横断平面図である。
【図１３】本発明のＰＴＰ包装体要部の他の使用例を示す横断平面図である。
【図１４】本発明に係るＰＴＰ包装体製品を納めた包装箱を開放状態で示し、（ａ）は四角筒形態のＰＴＰ包装体を納めた状態の要部斜視図、（ｂ）は三角筒形態のＰＴＰ包装体を納めた状態の要部斜視図である。
【発明を実施するための形態】
【００２９】
図１で示す第１〜第１１実施形態（後述）のＰＴＰ包装体要部Ｐ１は、図２で示すＰＴＰシート１０を平行な３本の折り目１３で折り曲げて三角筒体Ｔ３としたものである。しかして、ＰＴＰシート１０は、ポリ塩化ビニル、ポリプロピレン、ポリエチレンテレフタレート等の熱可塑性樹脂からなる矩形の透明な基材シート１に、その表面側へ円形に膨出した複数（図では９）のポケット部２が縦横に配列して形成され、各ポケット部２に丸い糖衣錠タイプの固形薬剤Ｍ１（図４参照）を一個ずつ収容した状態で、該基材シート１の背面側にアルミ箔等からなる蓋フィルム３を貼着することにより、各ポケット部２が密封されている。
【００３０】
しかして、ＰＴＰシート１０の片側の側縁部１０ｂは、全長にわたって折り目１３で区割された帯状の止着片となり、その表面に剥離紙８１付きの粘着層８が形成されており、三角筒体Ｔ３の組み立てに際し、折り目１３で折り曲げ、剥離紙６１を引き剥がして露呈させた粘着層６を反対側の非折曲の側縁部１０ａの背面側に接着固定するようになっている。なお、各折り目１３は、折り曲げ容易であっても断裂しにくいように、線状の薄肉部やミシン目によって構成されている。
【００３１】
この三角筒体Ｔ３としたＰＴＰ包装体要部Ｐ１では、元来より基材シート１に切り離し線がないので１，２ポケットの小さい単位に手で分離できない上、その立体構造からして鋏等で小さい単位に切り離すことも想定できない。従って、患者が薬剤Ｍ１を取り出して服用するには、外側からポケット部２を押し潰して破封するしかなく、破封せずに包装体ごと飲み込む可能性は皆無である。そして、この破封操作は、図３に示すように片手ＨでＰＴＰ包装体要部Ｐ１を掴んだ状態で、その親指Ｆ１でポケット部２を押圧することによって簡単に行える上、破封によって蓋フィルム３を突き破った薬剤Ｍ１が図４の如く三角筒体Ｔ３の内側に放出されるから、該薬剤Ｍ１が不用意に飛び出して周辺に散逸することはなく、しかも三角筒体Ｔ３内から落下させた薬剤Ｍ１を空いた方の掌で確実に受け取ることができる。よって、このＰＴＰ包装体要部Ｐ１によれば、薬剤Ｍ１が床等に落下して汚れて無駄になったり、行方不明になって探すのに時間と労力を費やしたりするのを回避できる。また、ＰＴＰシート１０の蓋フィルム３は全体が三角筒体Ｔ３の内周側に位置するから、このＰＴＰ包装体Ｐ１を洋服のポケットやバッグ等に入れて長時間持ち歩いても、該蓋フィルム３が服地や他物品と接触せず、もって該接触による蓋フィルム３の破れや剥がれを生じず、完全な封止状態を維持できる。
【００３２】
また、このＰＴＰ包装体要部Ｐ１では、ＰＴＰシート１０の両側縁部１０ａ，１０ｂの止着によって三角筒体Ｔ３〜Ｔ６，Ｔ０を形成しているから、該ＰＴＰシート１０を納めるホルダーのような余分な付属部品が不要であり、該付属部品によるコスト上昇を回避できるという利点がある。なお、ＰＴＰシート１０の両側縁部１０ａ，１０ｂの止着手段としては、例示した粘着層８による接着固定の他、ヒートシール、液状接着剤による接着、一側縁側のスリットと他側縁側の係止片との係合、両側縁に形成した折り返し部同士の係合、ホッチキス止め、これらの組合せ等、他の種々の止着方式を採用できる。
【００３３】
次に、図５で示す第１実施形態のＰＴＰ包装体Ｐ２では、前記ＰＴＰ包装体要部Ｐ１と同様にＰＴＰシート１０の折り曲げと側縁部１０ａ，１０ｂの止着によって三角筒体Ｔ３を形成しているが、その両端の各筒口１１に三角環状の口枠部材４が嵌装固着されている。この口枠部材４は、硬質の熱可塑性樹脂チューブから環形に切り取って三角形に成形すると共に、三角形の各辺毎に設けたフィン部４ａを外側へ折り返したもので、三角筒体Ｔ３の筒口１１に対して、環形部分が内側、フィン部４ａが外側になるように嵌装し、接着又はヒートシールによって固着するようになっている。
【００３４】
この第１実施形態のＰＴＰ包装体Ｐ２の場合、前記ＰＴＰ包装体要部Ｐ１と同様の作用効果に加え、三角筒体Ｔ３の両端の筒口１１に固着した口枠部材４によって筒体としての保形強度が大きくなるから、ＰＴＰシート１０が材質的に腰の弱いものあっても、破封の際に筒形がへしゃげる懸念がなく、もって容易に破封操作を行えるという利点がある。
【００３５】
更に、図６で示す第２実施形態のＰＴＰ包装体Ｐ３では、ＰＴＰシート１０を２カ所で折り曲げて三角筒状にしているが、その非折曲の両側縁部１０ａ，１０ａを帯状補強部材５を介して連結一体化して三角筒体Ｔ３を形成している。しかして、帯状補強部材５は、三角筒体Ｔ３の全長にわたる長さを有する硬質ないし半硬質合成樹脂の成形物からなり、略断面Ｖ字形の両側縁に各々側端面に開く溝部５ａ，５ａを有しており、その各溝部５ａにＰＴＰシート１０の側縁部１０ａを嵌入し、接着又はヒートシールによって固着するようになっている。この第２実施形態のＰＴＰ包装体Ｐ３でも、前記ＰＴＰ包装体要部Ｐ１と同様の作用効果に加え、帯状補強部材５によって該筒体としての保形強度が増すと共に、その組立製作も容易になるという利点がある。
【００３６】
前記第１〜第２実施形態のＰＴＰ包装体Ｐ２〜Ｐ３のように薬剤用に供するものの場合、製薬メーカー等の製造者側で最終的な筒体に形成して製品として出荷する他、該製造者側から医療機関の調剤部や薬局等に対して図２の如く嵩張らないＰＴＰシート１０として納入し、処方箋に則って患者に手渡す前に筒状形態に組み立てるようにしてもよい。そして、ＰＴＰ包装体に納める薬剤は、第１〜第２実施形態のような一種に限らず、筒体の長手方向に沿う複数の縦列もしくは周方向に沿う複数の横列に配置したポケット部２に、縦列又は横列によって異なる種類の薬剤を収容する構成としてもよい。また、筒体としても、第１及び第２実施形態のような三角筒体Ｔ３に限らず、四角以上の多角筒体としてもよい。
【００３７】
図７（ａ）に示す第３実施形態のＰＴＰ包装体Ｐ４は、三角筒体Ｔ３のポケット部２に、各側面毎に異なる３種類の薬剤、例えば糖衣錠形態の薬剤Ｍ１、タブレット形態の薬剤Ｍ２、顆粒入りカプセル形態の薬剤Ｍ３が収容されている。また、図７（ｂ）に示す第４実施形態のＰＴＰ包装体Ｐ５は、四角筒体Ｔ４のポケット部２に、各側面毎に異なる４種類の薬剤、例えば上記三種類の薬剤Ｍ１〜Ｍ３に加えて、小さい糖衣錠形態の薬剤Ｍ４が収容されている。
【００３８】
これらＰＴＰ包装体Ｐ４，Ｐ５では、例えば各側面つまり縦列方向のポケット部２の数を３つとして、患者が一回に服用すべき複数種の薬剤Ｍ１〜Ｍ３あるいはＭ１〜Ｍ４を上中下の各段に分配収容し、朝には上段配置分、昼には中段配置分、晩には下段配置分の各々複数種を服用するように、都合一日分の薬剤を納めた形態とすれば非常に便利である。無論、縦列方向のポケット部２の数を６つとして二日分の薬剤を納めるようにしてもよいし、一日２回服用する薬剤では縦列方向のポケット部２を偶数にして１日〜数日分の薬剤を納めるようにしてもよい。また、例示とは逆に、各側面つまり各縦列方向のポケット部２ごとに複数種の薬剤を収容し、一側面つまり一縦列の薬剤を服用一回分とする構成も可能である。
【００３９】
なお、筒体が四角以上の多角筒体である場合、例えば図７（ｂ）の仮想線で示すように、その多角筒体の内側に対角線方向に沿う補強板６を配置し、その両側部６ａ，６ａを筒体内面に止着するようにすれば、それだけ筒体として保形強度が大きくなるため、容易に且つ確実に破封操作を行えるという利点がある。また、筒体が５角形以上の多角形である場合、複数枚の補強板６を用いてもよい。
【００４０】
更に、患者が一回に服用する複数種の薬剤は、同様の症例でも症状の程度や個人差等によって組合せが異なる場合があるが、本発明のＰＴＰ包装体ではその組合せの変化にも容易に対応できる。例えば、図８（ａ）（ｂ）に示す第５実施形態のＰＴＰ包装体Ｐ６は、各々ＰＴＰシート１０より折曲形成された２本の三角筒体Ｔ３Ａ，Ｔ３Ｂが合わさって四角筒体Ｔ４を構成しており、一方の三角筒体Ｔ３Ａの二側面のポケット部２にそれぞれ糖衣錠形態の薬剤Ｍ１とタブレット形態の薬剤Ｍ２とが収容されると共に、他方の三角筒体Ｔ３Ｂの２側面のポケット部２にそれぞれ顆粒入りカプセル形態の薬剤Ｍ３と液剤入りカプセル形態の薬剤Ｍ５とが収容され、もって４種類の薬剤の組合せになっている。この場合、両三角筒体Ｔ３Ａ，Ｔ３Ｂの残る一側面はポケット部２のない平坦面１２となっており、一方の三角筒体Ｔ３Ａの平坦面１２には剥離紙８１付きの粘着層８が形成されており、その剥離紙８１を剥がした粘着層８を他方の三角筒体Ｔ３Ｂの平坦面１２に接着することにより、両三角筒体Ｔ３Ａ，Ｔ３Ｂを接合一体化している。
【００４１】
また、図９に示す第６実施形態のＰＴＰ包装体Ｐ７では、前記第５実施形態と同様に合一して４角筒体Ｔ４を構成する２本の三角筒体Ｔ３Ｃ，Ｔ３Ｄは、それぞれポケット部２を有する二側面がＰＴＰシート１０からなると共に、ポケット部２のない一側面の平坦面１２が該ＰＴＰシート１０の折曲した側縁部１０ｂ，１０ｂに止着した別体の硬質合成樹脂からなる板体７にて形成されており、前記第５実施形態と同様に一方の平坦面１２に設けた粘着層８を介して両三角筒体Ｔ３Ｃ，Ｔ３Ｄが接合一体化されている。そして、両三角筒体Ｔ３Ｃ，Ｔ３Ｄのポケット部２には互いに異なる種類の薬剤（図示省略）が収容されている。
【００４２】
これら第５及び第６実施形態のように、収容した薬剤種が異なる２本の筒体を組み合わせて一体化する構成によれば、該筒体として薬剤種の異なるものを種々用意しておくことにより、患者の症状の程度や個人差等に合わせた様々な薬剤の組合せが可能となる。なお、筒体同士の接合手段としては、例示した粘着層８による接合以外に、液状接着剤による接着やヒートシール、簡易にはホッチキス止めや接着テープによる巻き止め等、種々の方法を採用できる。
【００４３】
更に本発明では、角筒体の二側面をポケット部のない平坦面として、その平坦面同士を接合して一体化することで、より多数の薬剤の組合せに対応させることも可能である。例えば、図１０（ａ）で示す第７実施形態のＰＴＰ包装体Ｐ８は、一側面のみにポケット部２を有する三角筒体Ｔ３の４本を接合一体化して四角筒体Ｔ４にしており、都合４種の薬剤の組合せに対応している。また図１０（ｂ）で示す第８実施形態のＰＴＰ包装体Ｐ９は、一側面のみにポケット部２を有する三角筒体Ｔ３の６本を接合一体化し、６種の薬剤の組合せに対応した六角筒体Ｔ６としている。更に図１０（ｃ）で示す第９実施形態のＰＴＰ包装体Ｐ１０は、二側面にポケット部２を有する四角筒体Ｔ４の４本を接合一体化し、８種の薬剤の組合せに対応した四角筒体Ｔ４としている。その他、特殊な形態として、図１０（ｄ）で示す第１０実施形態のＰＴＰ包装体Ｐ１１は四側面にポケット部２を有する六角筒体Ｔ６の３本が接合一体化し、図１０（ｅ）で示す第１１実施形態のＰＴＰ包装体Ｐ１２は三側面にポケット部２を有する五角筒体Ｔ５の３本が接合一体化し、前者は１２種、後者は９種の薬剤の組合せに対応するものとなっている。
【００４４】
なお、上述した第１〜第１１実施形態のＰＴＰ包装体Ｐ２〜Ｐ１２はいずれも三角〜６角の角筒体Ｔ３〜Ｔ６及びその複数本の組合せになっているが、本発明のＰＴＰ包装体は、例えば図１１に示すＰＴＰ包装体要部Ｐ１３のような円筒体Ｔ０や楕円筒体（図示省略）としてもよい。なお、例示したＰＴＰ包装体要部Ｐ１３ではＰＴＰシート１０の内外に折り返した両側縁部１０ｃ，１０ｃを相互に係合して円筒体Ｔ０としているが、この円筒体Ｔ０にするためのＰＴＰシート１０の両側縁部の止着手段として既述の角筒体と同様に様々な方法を採用できる。
【００４５】
本発明のＰＴＰ包装体に収容する品物としては、第１〜第１１実施形態で例示したように固形薬剤に限らず、トローチや喉飴、各種サプリメントの如き薬品に準じる食品類、チョコチップ、チョコボール、キャラメル、キャンディ、ガム、クッキー、ビスケット、ナッツの如き粒状の菓子類、固形化したスープの素やカレールー、氷砂糖，グラニュー糖、固形化した調味料の如き食品類、固形入浴剤、固形洗剤、パイプ洗浄剤の如き化学薬剤等も包含する。更に、該ＰＴＰ包装体には、ビス、釘、ナット、ワッシャ、ゴムパッキン、手芸用ビーズ等の工芸用の様々な小物類等も収容でき、特に小粒の品物では一つのポケット部２に複数個を収容してもよいし、必要とあらば固形物のみならず顆粒品、粉末品、液状品等でも収容可能である。
【００４６】
例えば、図１２に示すＰＴＰ包装体要部Ｐ１４は、キャンディＭ６とチョコチップＭ７と糖小粒Ｍ８が三角筒体Ｔ３の各側面に分けて収容されており、３種の菓子類の組合せを味わえるようになっている。また、図１３に示すＰＴＰ包装体要部Ｐ１５は、ビスＭ９とナットＭ１０及びワッシャＭ１１のワンセットが、三角筒体Ｔ３の周方向に並ぶ３つのポケット部２に分けて収容されているから、ビス止め作業を行う際に一カ所分の部品を逸散させることなく一括して取り出せて便利である。
【００４７】
更に、製造者側で予め筒体に組み立てて市販するＰＴＰ包装体では、例えば図１４（ａ）（ｂ）で例示するように、四角筒体Ｔ４や三角筒体Ｔ３としたＰＴＰ包装体Ｐ１６，Ｐ１７の複数本を包装箱Ｂに装填して製品化することが推奨される。この場合、三角筒体Ｔ３については、矩形空間に複数本を納め易いように、正三角形よりも図示の如く直角二等辺三角形の筒形とするのがよい。また、包装箱９に装填するＰＴＰ包装体Ｐ１６，Ｐ１７については、基材シート１のポケット部２を千鳥状配置にすれば、包装箱９への装填時に相互のポケット部２による膨出部分がずれて噛み合うため、空間効率を高まって装填本数を増やすことができる。
【符号の説明】
【００４８】
１              基材シート
２              ポケット部
３              蓋フィルム
４              口枠部材
５              帯状縁部枠材
５ａ            溝部
６              補強板
６ａ            側部
７              板体
１０            ＰＴＰシート
１０ａ〜１０ｃ  側縁部
１１            筒口
１２            平坦面
Ｍ１〜Ｍ５      固形薬剤（品物）
Ｍ６            粒状ガム（品物）
Ｍ７            チョコチップ（品物）
Ｍ８            粒状糖（品物）
Ｍ９            ビス（品物）
Ｍ１０          ナット（品物）
Ｍ１１          ワッシャ（品物）
Ｐ１ ＰＴＰ包装体要部
Ｐ２〜Ｐ１７    ＰＴＰ包装体
Ｔ３            三角筒体
Ｔ４            四角筒体
Ｔ５            五角筒体
Ｔ６            六角筒体
Ｔ０            円筒体